(57)【要約】      （修正有）【課題】気液式染色機の染液昇温温熱交換装置の提供。【解決手段】染色機底部の染液循環管の入口と出口の間に、空気式熱交換器１０を取り付け、該空気式熱交換器中に染液流通空間及び適当な隔層で区画された気体流通空間を設け、かつ該隔層に複数の管型真空導熱手段１４を挿着し、該管型真空導熱手段の両端に染液流通空間と気体流通空間を設け、管型真空導熱手段の高効率熱交換作用を利用して染液の温度昇降の速度と温度制御の安定度を高め、染色機の均一な染色能力を改善し、不均一な染色状態の発生を防止し、且つ全体の生産効率を大幅に高め、更に気体源により染液の温度を昇降することにより、大量の冷熱源の浪費を防止した。【選択図】図３
0003101149.tif 000002
【実用新案登録請求の範囲】
【請求項１】
熱交換器を具え、該熱交換器の内部が少なくとも一つの隔層で染液流通空間と気体流通空間に分けられ、該染液流通空間に外向きに染液入口と染液出口が設けられ、並びにそれぞれ染液循環管の出口と入口に接続され、上述の隔層に複数の管型の真空導熱手段が挿着され、該真空導熱手段の両端がそれぞれ隔層両側の染液流通空間と気体流通空間中に延伸され、前記気体流通空間に外向きに気体入口と気体出口が設けられ、該気体入口が冷気源に接続されたことを特徴とする、気液式染色機の染液昇温温熱交換装置。
【請求項２】
請求項１記載の気液式染色機の染液昇温温熱交換装置において、気体入口に蒸気源が接続されたことを特徴とする、気液式染色機の染液昇温温熱交換装置。
【請求項３】
請求項２記載の気液式染色機の染液昇温温熱交換装置において、気体出口に冷却水器が接続されたことを特徴とする、気液式染色機の染液昇温温熱交換装置。
【請求項４】
請求項１、請求項２、請求項３のいずれかに記載の気液式染色機の染液昇温温熱交換装置において、真空導熱手段は内部が真空の管状体とされ、管内に少量の熱伝導媒体が装填されたことを特徴とする、気液式染色機の染液昇温温熱交換装置。
【請求項５】
請求項４記載の気液式染色機の染液昇温温熱交換装置において、熱伝導媒体が水とされたことを特徴とする、気液式染色機の染液昇温温熱交換装置。
【考案の詳細な説明】
【技術分野】
【０００１】
本考案は一種の気液式染色機の染液昇温温熱交換装置に係り、特に新たに設計した気液式熱交換器を気液式染色機の染液循環管の入口と出口の間に取り付け、該気液式熱交換器の内部に複数の高効率の真空導熱手段を設けることにより染液と気体源間の熱交換を達成し、大幅に熱交換効率を高めて、均一な染色能力を促進すると共に加工速度を高め、大量の導熱水源の浪費を防止できるようにした、気液式染色機の染液昇温温熱交換装置に関する。
【背景技術】
【０００２】
従来より、低浴比、高い布速度、短い染色工程、省エネ及び染色均一性の高さは気液式染色機に求められる性能であり、これらの特性の向上と、染液温度を決定する熱交換器には絶対的な関係がある。このため、熱交換器の効率に対して、現在、各染色機メーカーが改善を図っている。現在よく見られる循環染液熱交換器の形式は、いずれも水冷及び蒸気加熱の形態にとどまっており、周知のとおり、水冷時には大量の冷却水が必要で、この冷却水はまた高エネルギーの冷却或いは加熱により循環し使用される。これにより、全体の染液冷却過程に消費される冷却水処理エネルギー或いは水資源は、極めて膨大である。このため高効率で上述のような膨大な水資源或いはエネルギー資源を浪費する必要のない循環染液熱交換装置があれば、大幅に染色作業のコストを減らすことができ、且つ資源の高効率運用を達成できる。
【考案の開示】
【考案が解決しようとする課題】
【０００３】
本考案は前述の従来の技術の問題に対して、特に高効率の冷式熱交換装置の設計を提供する。それは、熱交換器内を隔層で染液流通空間と気体流通空間に分け、且つ該隔層に複数の真空導熱手段を挿着し、極めて低い温度差状態にあって、急速な熱交換現象を発生させ、これにより、熱交換効率を大幅に高め、且つ空気を利用して直接染液の冷却を行ない、蒸気と特性が接近する熱伝導作用を取得して機具の受ける特質差異の過大な熱交換媒体作用の不良な物理性の欠点を減らし、大幅にエネルギー資源の浪費を減らし、且つ熱交換効率を高める。
【課題を解決するための手段】
【０００４】
請求項１の考案は、熱交換器を具え、該熱交換器の内部が少なくとも一つの隔層で染液流通空間と気体流通空間に分けられ、該染液流通空間に外向きに染液入口と染液出口が設けられ、並びにそれぞれ染液循環管の出口と入口に接続され、上述の隔層に複数の管型の真空導熱手段が挿着され、該真空導熱手段の両端がそれぞれ隔層両側の染液流通空間と気体流通空間中に延伸され、前記気体流通空間に外向きに気体入口と気体出口が設けられ、該気体入口が冷気源に接続されたことを特徴とする、気液式染色機の染液昇温温熱交換装置としている。
請求項２の考案は、請求項１記載の気液式染色機の染液昇温温熱交換装置において、気体入口に蒸気源が接続されたことを特徴とする、気液式染色機の染液昇温温熱交換装置としている。
請求項３の考案は、請求項２記載の気液式染色機の染液昇温温熱交換装置において、気体出口に冷却水器が接続されたことを特徴とする、気液式染色機の染液昇温温熱交換装置としている。
請求項４の考案は、請求項１、請求項２、請求項３のいずれかに記載の気液式染色機の染液昇温温熱交換装置において、真空導熱手段は内部が真空の管状体とされ、管内に少量の熱伝導媒体が装填されたことを特徴とする、気液式染色機の染液昇温温熱交換装置としている。
請求項５の考案は、請求項４記載の気液式染色機の染液昇温温熱交換装置において、熱伝導媒体が水とされたことを特徴とする、気液式染色機の染液昇温温熱交換装置としている。
【考案の効果】
【０００５】
本考案は高効率の熱交換装置を提供し、それは熱交換効率が高いだけでなく、汚染が少なく熱伝導速度が高い冷気体及び蒸気で冷却と加熱を行ない、冷却と加熱速度を高め、且つエネルギー資源を節約し、染色工程を短縮し、効率が高く、低汚染で染色均一性が高い特徴を有し、確実に産業上の利用価値を有する。
【考案を実施するための最良の形態】
【０００６】
図１に示されるように、本考案の熱交換器１０は染色機２０の染液循環管３０の、入口３１、出口３２の間に取り付けられる。図２から図６に示されるように、該熱交換器１０の内部は少なくとも一つの隔層１１で染液流通空間１２と気体流通空間１３に分けられ、該染液流通空間１２に外向きに染液入口１２１と染液出口１２２が設けられて対応する染液循環管３０の出口３２と入口３１の分管３２１、３１１に接続されている。上述の気体流通空間１３には気体入口１３１と気体出口１３２が設けられ、且つ気体入口１３１の一端に冷風機等の冷気源４０が接続され、且つ傍らに蒸気源５０が接続されている。気体出口１３２は傍らに冷却水器６０が接続されている。上述の気体入口１３１と気体出口１３２と管路に、スイッチが設けられて気体或いは蒸気の入出を制御するのに供される。
【０００７】
また、本考案の上述の隔層１１に、複数の真空導熱手段１４が挿着され、該真空導熱手段１４は内部が真空の管状体とされ、管内に少量の熱伝導媒体１４１（例えば水）が装填され、且つ該管状体の両端がそれぞれ隔層１１両側の染液流通空間１２と気体流通空間１３中に延伸されている。これにより、循環染液が冷却を必要とする時、冷気源４０が気体入口１３１より冷気を送りこみ、真空導熱手段１４内の熱伝導媒体１４１が染液流通空間１２の一端で吸熱して蒸発した後、急速に気体流通空間１３にある一端に至り、放熱して冷却され、さらに循環して染液流通空間１２の一端より吸熱し、こうして真空導熱手段１４の高い熱伝導効率により、急速に確実に循環染液の温度を下げる。反対に、循環染液を昇温させる必要がある時、気体流通空間１３中に蒸気が送り込まれ、即ち熱交換方向が反対となり、急速に染液の温度を上昇させ、且つ上述の真空導熱手段１４が極めて低い温度差下で明らかで且つ高効率の熱交換を発生し、熱交換効率を高め、これにより安定温度制御の条件を具備し、均一染色能力の向上に役立つものとされる。
【０００８】
図３から図８に示されるように、本考案の上述の特徴を具備してなる熱交換器は、内部の隔層１１と真空導熱手段１４の設置形式が、平板式隔層１１と同心円壁式隔層１１Ａに分けられる。前者は全体の熱交換器内部が少なくとも二つの均分された流通空間に区分され、後者は内外の同心円流通空間に区画され、それぞれ真空導熱手段１４は同様に隔層１１に挿着され、真空導熱手段１４の両端が二つの流通空間中に差し込まれている。
【図面の簡単な説明】
【０００９】
【図１】本考案の染色機に運用する位置表示図である。
【図２】本考案の第１実施例の斜視図である。
【図３】本考案の第１実施例の分解斜視図である。
【図４】本考案の第１実施例の立体局部分解図である。
【図５】本考案の真空導熱手段の立体分解図である。
【図６】本考案の真空導熱手段を隔層に挿着した状態の立体図である。
【図７】本考案の第２実施例の立体分解図である。
【図８】本考案の第２実施例の立体局部分解図である。
【符号の説明】
【００１０】
１０  熱交換器
１１  隔層
１１Ａ  同心円壁式隔層
１２  染液流通空間
１２１  染液入口
１２２  染液出口
１３  気体流通空間
１３１  気体入口
１３２  気体出口
１４  真空導熱手段
１４１  熱伝導媒体
２０  染色機
３０  染液循環管
３１  入口
３２  出口
３２１、３１１  分管
４０  冷気源
５０  蒸気源
６０  冷却水器
【図１】
0003101149.tif 000003
【図２】
0003101149.tif 000004
【図３】
0003101149.tif 000005
【図４】
0003101149.tif 000006
【図５】
0003101149.tif 000007
【図６】
0003101149.tif 000008
【図７】
0003101149.tif 000009
【図８】
0003101149.tif 000010